(57)【要約】【課題】画像処理装置が、リモート操作の対象となっているときに、支障が生じない範囲で極力ジョブなどの処理を受け付け可能なこと。【解決手段】モード制御部４５は、ホスト装置からモード移行要求を受信した場合に、動作モードを設定リモートモードへ移行させる。パラメーター設定部４３は、前記設定リモートモードにおいて、リモート操作に従って、ジョブに関するパラメーターについて元の値を記憶しつつ新たな値を設定し、操作装置３ａに対する直接操作に基づく前記パラメーターの設定を禁止する。ジョブ制御部４２は、前記設定リモートモードにおいて、前記リモート操作に基づく前記パラメーターの前記新たな値が確定するまでの間に、前記直接操作によるジョブ実行要求に応じて、前記パラメーターの前記元の値に従った前記ジョブをジョブ処理装置に実行させる。【選択図】図１
2019057892.tif 000002
【特許請求の範囲】
【請求項１】
ユーザーの操作を受け付ける操作装置と、
情報を表示する表示装置と、
外部のホスト装置と通信可能な通信装置と、
画像処理に関するジョブを実行するジョブ処理装置と、
前記ジョブ処理装置を制御可能なプロセッサーと、を備え、
前記プロセッサーは、
前記ホスト装置から前記通信装置を通じて第１モード移行要求を受信した場合に、動作モードを通常モードから設定リモートモードへ移行させるモード制御部と、
前記動作モードが前記設定リモートモードであるときに、前記ホスト装置からの前記通信装置を通じたリモート操作による設定要求に従って、前記ジョブに関するパラメーターについて元の値を記憶しつつ新たな値を設定するとともに、前記操作装置に対する直接操作に基づく前記パラメーターの設定を禁止するパラメーター設定部と、
前記動作モードが前記設定リモートモードであるときに、前記リモート操作に基づく前記パラメーターの前記新たな値が確定するまでの間に、前記直接操作による出力要求に応じて前記パラメーターの前記元の値を前記表示装置へ出力するパラメーター出力部と、
前記動作モードが前記設定リモートモードであるときに、前記リモート操作に基づく前記パラメーターの前記新たな値が確定するまでの間に、前記直接操作によるジョブ実行要求に応じて、前記パラメーターの前記元の値に従った前記ジョブを前記ジョブ処理装置に実行させるジョブ制御部と、を備える画像処理装置。
【請求項２】
前記第１モード移行要求が期限情報を含む場合に、前記モード制御部は、前記期限情報が示す期限が経過した後に自動的に前記動作モードを前記設定リモートモードから前記通常モードへ移行させる、請求項１に記載の画像処理装置。
【請求項３】
前記モード制御部は、前記ホスト装置から前記通信装置を通じて特定の種類の前記ジョブである指定ジョブの情報を含む第２モード移行要求を受信した場合に、前記動作モードを占有リモートモードへ移行させ、
前記動作モードが前記占有リモートモードであるときに、前記ジョブ制御部は、前記リモート操作による前記ジョブ実行要求に応じて、前記リモート操作に基づく前記パラメーターの前記新たな値に従った前記指定ジョブを前記ジョブ処理装置に実行させるとともに、前記指定ジョブと並行して実行できないその他の前記ジョブの実行を禁止する、請求項１または請求項２に記載の画像処理装置。
【請求項４】
前記モード制御部は、前記第２モード移行要求を受信したときに、前記ジョブ処理装置が前記ジョブを実行中である場合に、実行中の前記ジョブの終了を待って前記動作モードを前記占有リモートモードへ移行させる、請求項３に記載の画像処理装置。
【請求項５】
前記プロセッサーは、
前記第２モード移行要求が前記モード制御部により受信されたときに、前記ジョブ処理装置が前記ジョブを実行中であり、かつ、前記通信装置を通じて外部の情報処理装置から要求されることによって続いて実行される予定の待機ジョブが存在する場合に、前記通信装置を通じて前記待機ジョブの実行を他の画像処理装置へ要求するとともに、前記通信装置を通じて前記他の画像処理装置の情報を前記待機ジョブの要求元の前記情報処理装置へ通知する待機ジョブ制御部をさらに含む、請求項４に記載の画像処理装置。
【発明の詳細な説明】
【技術分野】
【０００１】
本発明は、リモート操作が可能な画像処理装置に関する。
【背景技術】
【０００２】
一般に、スキャナー、プリンター、複写機または複合機などの画像処理装置は、スキャンジョブ、印刷ジョブまたは複写ジョブなどの画像処理に関するジョブを実行可能である。また、リモート操作が可能な複写機が知られている（例えば、特許文献１参照）。
【先行技術文献】
【特許文献】
【０００３】
【特許文献１】特開２００７−４３６４７号公報
【発明の概要】
【発明が解決しようとする課題】
【０００４】
ところで、前記画像処理装置が、前記ジョブに関するパラメーターを前記リモート操作に従って設定可能な場合がある。この場合、前記リモート操作の対象となっている前記画像処理装置が、支障が生じない範囲で極力前記ジョブなどの処理を受け付け可能であることが望ましい。
【０００５】
本発明の目的は、リモート操作の対象となっているときに、支障が生じない範囲で極力ジョブなどの処理を受け付け可能な画像処理装置を提供することにある。
【課題を解決するための手段】
【０００６】
本発明の一の局面に係る画像処理装置は、操作装置と、表示装置と、通信装置と、ジョブ処理装置と、プロセッサーと、を備える。前記操作装置は、ユーザーの操作を受け付ける。前記表示装置は、情報を表示する。前記通信装置は、外部のホスト装置と通信可能である。前記ジョブ処理装置は、画像処理に関するジョブを実行する。前記プロセッサーは、前記ジョブ処理装置を制御可能である。前記プロセッサーは、モード制御部と、パラメーター設定部と、パラメーター出力部と、ジョブ制御部と、を含む。前記モード制御部は、前記ホスト装置から前記通信装置を通じてモード移行要求を受信した場合に、動作モードを通常モードから設定リモートモードへ移行させる。前記パラメーター設定部は、前記動作モードが前記設定リモートモードであるときに、前記ホスト装置からの前記通信装置を通じたリモート操作による設定要求に従って、前記ジョブに関するパラメーターについて元の値を記憶しつつ新たな値を設定するとともに、前記操作装置に対する直接操作に基づく前記パラメーターの設定を禁止する。前記パラメーター出力部は、前記動作モードが前記設定リモートモードであるときに、前記リモート操作に基づく前記パラメーターの前記新たな値が確定するまでの間に、前記直接操作による出力要求に応じて前記パラメーターの前記元の値を前記表示装置へ出力する。前記ジョブ制御部は、前記動作モードが前記設定リモートモードであるときに、前記リモート操作に基づく前記パラメーターの前記新たな値が確定するまでの間に、前記直接操作によるジョブ実行要求に応じて、前記パラメーターの前記元の値に従った前記ジョブを前記ジョブ処理装置に実行させる。
【発明の効果】
【０００７】
本発明によれば、リモート操作の対象となっているときに、支障が生じない範囲で極力ジョブなどの処理を受け付け可能な画像処理装置を提供することが可能になる。
【図面の簡単な説明】
【０００８】
【図１】図１は、実施形態に係る画像処理装置のブロック図である。
【図２】図２は、実施形態に係る画像処理装置におけるモード移行制御の手順の一例を示すフローチャートである。
【図３】図３は、実施形態に係る画像処理装置における設定リモートモード制御の手順の一例を示すフローチャートである。
【図４】図４は、実施形態に係る画像処理装置における占有リモートモード制御の手順の一例を示すフローチャートである。
【発明を実施するための形態】
【０００９】
以下、添付図面を参照しながら、本発明の実施形態について説明する。なお、以下の実施形態は、本発明を具体化した一例であって、本発明の技術的範囲を限定する性格を有さない。
【００１０】
［画像処理装置１０の構成］
実施形態に係る画像処理装置１０は、原稿９１から画像を読み取る読取処理およびシート９２に画像を形成する印刷処理などの画像処理を実行可能な装置である（図１参照）。
【００１１】
図１に示されるように、画像処理装置１０は、画像読取装置１、画像形成装置２，ユーザーインターフェイスユニット３、ＣＰＵ（Central Processing Unit）４、ＲＡＭ（Random Access Memory）４ａ、二次記憶装置５および通信装置６などを備える。
【００１２】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００１３】
通信装置６は、ネットワーク８０を通じて他の画像処理装置１０ｘ、ホスト装置８１およびその他の情報処理装置８２などの他装置との間で通信を行う通信インターフェイスデバイスである。ＣＰＵ４は、前記他装置との間のデータの送信および受信の全てを、通信装置６を通じて行う。
【００１４】
二次記憶装置５は、コンピューター読み取り可能な不揮発性の記憶装置である。二次記憶装置５は、プログラムおよび各種のデータを記憶可能である。例えば、フラッシュメモリーまたはハードディスクドライブの一方または両方が、二次記憶装置５として採用される。
【００１５】
ＲＡＭ４ａは、ＣＰＵ４が実行する前記プログラムおよびＣＰＵ４が前記プログラムを実行する過程で出力および参照するデータを一次記憶する揮発性の記憶装置である。ＲＡＭ４ａは、二次記憶装置５よりも高速なデータアクセスが可能な記憶装置である。
【００１６】
画像読取装置１は、前記読取処理を実行する。画像読取装置１は、光源１ａ、走査機構１ｂ、イメージセンサー１ｃおよびＡＦＥ（Analog Front End）１ｄなどを備える。
【００１７】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００１８】
ＡＦＥ（１ｄ）は、前記画像信号をデジタルの画像データへ変換する。以下の説明において、画像読取装置１の前記読取処理によって原稿９１から読み取られた画像のことを読取画像と称する。
【００１９】
画像形成装置２は、電子写真方式またはインクジェット方式などの予め定められた方式で前記印刷処理を実行する。
【００２０】
例えば、画像形成装置２が電子写真方式で前記印刷処理を実行する装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２１】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００２２】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００２３】
画像読取装置１、画像形成装置２および通信装置６は、画像処理に関するジョブを実行する装置の一例である。以下の説明において、画像読取装置１、画像形成装置２および通信装置６の全体のことをジョブ処理装置と称する。
【００２４】
例えば、画像読取装置１および通信装置６は、画像送信ジョブを実行する。前記画像送信ジョブにおいて、画像読取装置１が前記読取処理を実行し、通信装置６が、前記読取処理により得られる前記読取画像のデータを、ネットワーク８０を通じて予め指定された宛先へ送信する。前記宛先は、例えば、ネットワーク８０上の情報処理装置８２のＩＰアドレスまたは電子メールアドレスなどである。
【００２５】
また、画像読取装置１および画像形成装置２は、複写ジョブを実行する。前記複写ジョブにおいて、画像読取装置１が前記読取処理を実行し、通信装置６が、前記読取処理により得られる前記読取画像のデータに基づく前記印刷処理を実行する。
【００２６】
また、画像形成装置２および通信装置６は、印刷ジョブを実行する。前記印刷ジョブにおいて、通信装置６が情報処理装置８２などの他の装置からネットワーク８０を通じて印刷データを受信し、画像形成装置２が、前記印刷データに基づく前記印刷処理を実行する。
【００２７】
ＣＰＵ４は、各種の演算、データ処理および画像処理装置１０が備える各種の電気機器の制御を実行する。ＣＰＵ４は、画像読取装置１、画像形成装置２、ユーザーインターフェイスユニット３および通信装置６との間でデータおよび制御信号の受け渡しが可能である。
【００２８】
ＣＰＵ４は、前記ジョブ処理装置を制御可能なプロセッサーの一例である。なお、ＤＳＰ（Digital Signal Processor）などの他のプロセッサーが、ＣＰＵ４の一部または全部の代わりに採用されることも考えられる。
【００２９】
ＣＰＵ４は、二次記憶装置５に記憶されたプログラムを実行することにより、認証部４１、ジョブ制御部４２およびパラメーター設定部４３などとして動作する。
【００３０】
認証部４１は、ユーザー認証処理を実行する。前記ユーザー認証処理は、入力情報と予め二次記憶装置５などに記憶された登録ユーザー情報とを照合することにより、画像処理装置１０を利用しようとする者が予め登録されたユーザーであるか否かを判定する処理である。
【００３１】
ジョブ制御部４２は、前記ジョブを前記ジョブ処理装置に実行させる。但し、認証部４１が前記ユーザー認証処理に成功した場合にのみ、ジョブ制御部４２は、ユーザーによるジョブ実行の要求操作に応じて前記ジョブを前記ジョブ処理装置に実行させる。
【００３２】
パラメーター設定部４３は、操作装置３ａに対する操作に従って、前記ジョブに関するパラメーターについて値を設定する。前記パラメーターの値は二次記憶装置５に記憶される。前記パラメーターの値は、数値には限られず、例えば特性を示す文字列などである場合もある。
【００３３】
例えば、前記パラメーターが、前記読取処理における前記読取画像の解像度、画像読取装置１における光源１ａの光量の補正係数、画像読取装置１における前記読取画像のデータに対するガンマ補正の係数、画像形成装置２の帯電装置２ｃにおける帯電電圧の補正係数、画像形成装置２の現像装置２ｅにおける現像バイアスの補正係数および画像形成装置２の転写装置２ｆにおける転写電圧の補正係数などを含むことが考えられる。
【００３４】
ジョブ制御部４２は、パラメーター設定部４３により設定された前記パラメーターの値に従った前記ジョブを前記ジョブ処理装置に実行させる。
【００３５】
ところで、後述するように、画像処理装置１０は、ホスト装置８１からネットワーク８０を通じてリモート操作が可能である。ホスト装置８１は、予め定められた管理者によって操作されるパーソナルコンピューターなどの計算機である。
【００３６】
例えば、パラメーター設定部４３が、ホスト装置８１からの前記リモート操作に従って前記パラメーターを設定可能な場合がある。この場合、前記リモート操作の対象となっている画像処理装置１０が、支障が生じない範囲で極力前記ジョブなどの処理を受け付け可能であることが望ましい。
【００３７】
画像処理装置１０において、ＣＰＵ４は、後述するモード移行制御、設定リモートモード制御および占有リモートモード制御を実行する。これにより、画像処理装置１０は、前記リモート操作の対象となっているときに、支障が生じない範囲で極力前記ジョブなどの処理を受け付け可能である。
【００３８】
ＣＰＵ４は、二次記憶装置５に記憶されたプログラムを実行することにより、パラメーター出力部４４、モード制御部４５および待機ジョブ制御部４６としても動作する（図１参照）。即ち、ＣＰＵ４は、認証部４１、ジョブ制御部４２、パラメーター設定部４３、パラメーター出力部４４、モード制御部４５および待機ジョブ制御部４６を含む。
【００３９】
［モード移行制御］
以下、図２に示されるフローチャートを参照しつつ、前記モード移行制御の手順の一例について説明する。以下の説明において、Ｓ１０１，Ｓ１０２，…は、前記モード移行制御における複数の工程の識別符号を表す。
【００４０】
モード制御部４５は、ホスト装置８１から通信装置６を通じてモード移行要求を受信した場合に、前記モード移行制御を開始させる。
【００４１】
＜工程Ｓ１０１＞
前記モード移行制御において、まず、認証部４１が、管理者認証処理を実行する。前記管理者認証処理は、前記モード移行要求に含まれる要求元情報と予め二次記憶装置５に記憶された登録管理者情報とを照合することにより、前記モード移行要求の送信者が予め登録された管理者であるか否かを判定する処理である。
【００４２】
認証部４１は、前記管理者認証処理に成功した場合に、処理を工程Ｓ１０３へ移行させ、前記管理者認証処理に失敗した場合に、処理を工程Ｓ１０２へ移行させる。
【００４３】
＜工程Ｓ１０２＞
工程Ｓ１０２において、認証部４１は、前記モード移行要求の送信元へエラー通知を送信する。その後、認証部４１は、前記モード移行制御を終了させる。
【００４４】
＜工程Ｓ１０３＞
工程Ｓ１０３において、モード制御部４５が、前記モード移行要求の種類を判定する。本実施形態において、前記モード移行要求の種類は、設定リモートモードへの移行要求または占有リモートモードへの移行要求である。
【００４５】
モード制御部４５は、前記モード移行要求が前記設定リモートモードへの移行要求であると判定した場合、処理を工程Ｓ１０４へ移行させる。また、モード制御部４５は、前記モード移行要求が前記占有リモートモードへの移行要求であると判定した場合、処理を工程Ｓ１０６へ移行させる。
【００４６】
なお、前記設定リモートモードへの移行要求は、第１モード移行要求の一例であり、前記占有リモートモードへの移行要求は、第２モード移行要求の一例である。
【００４７】
＜工程Ｓ１０４＞
工程Ｓ１０４において、モード制御部４５は、動作モードを通常モードから前記設定リモートモードへ移行させる。これにより、モード制御部４５は、後述する設定リモート制御を開始させる。
【００４８】
即ち、モード制御部４５は、ホスト装置８１から通信装置６を通じて設定リモートモードへの移行要求を受信した場合に、前記動作モードを前記通常モードから前記設定リモートモードへ移行させる。前記通常モードは、前記動作モードの初期状態である。
【００４９】
＜工程Ｓ１０５＞
そして、前記設定リモート制御が終了すると、モード制御部４５は、前記動作モードを元の前記通常モードへ移行させた後、前記モード移行制御を終了させる。
【００５０】
＜工程Ｓ１０６＞
工程Ｓ１０６において、モード制御部４５は、画像処理装置１０の状態が、第１状態、第２状態および第３状態のいずれであるかを判定する。
【００５１】
前記第１状態は、実行中ジョブが存在し、かつ、待機ジョブが存在する状態である。前記第２状態は、前記実行中ジョブが存在し、かつ、前記待機ジョブが存在しない状態である。前記第３状態は、前記実行中ジョブが存在しない状態である。
【００５２】
なお、前記実行中ジョブは、前記ジョブ処理装置が実行中の前記ジョブである。また、前記待機ジョブは、通信装置６を通じて外部の情報処理装置８２から要求されることによって続いて実行される予定の前記ジョブである。本実施形態において、前記待機ジョブは前記印刷ジョブである。
【００５３】
モード制御部４５は、画像処理装置１０の状態が前記第１状態であると判定した場合、処理を工程Ｓ１０７へ移行させ、前記第２状態であると判定した場合、処理を工程Ｓ１０９へ移行させ、前記第３状態であると判定した場合、処理を工程Ｓ１１０へ移行させる。
【００５４】
＜工程Ｓ１０７＞
工程Ｓ１０７において、待機ジョブ制御部４６が、通信装置６を通じて前記待機ジョブの実行を他の画像処理装置１０ｘへ要求する。これにより、他の画像処理装置１０ｘは、前記待機ジョブを実行する。
【００５５】
例えば、前記待機ジョブの実行の要求先は、前記待機ジョブの要求元の情報処理装置８２と同一のＬＡＮ（Local Area Network）に接続されている画像処理装置１０ｘであることが考えられる。さらに、待機ジョブ制御部４６は、処理を工程Ｓ１０８へ移行させる。
【００５６】
＜工程Ｓ１０８＞
工程Ｓ１０８において、待機ジョブ制御部４６は、通信装置６を通じて他の画像処理装置１０ｘの情報を前記待機ジョブの要求元の情報処理装置８２へ通知する。その後、待機ジョブ制御部４６は、処理を工程Ｓ１０９へ移行させる。
【００５７】
なお、工程Ｓ１０８において通知される他の画像処理装置１０ｘの情報は、前記待機ジョブの実行を要求した先がいずれの画像処理装置１０ｘであるかを示す情報である。
【００５８】
即ち、待機ジョブ制御部４６は、画像処理装置１０が前記第１状態である場合に、通信装置６を通じて前記待機ジョブの実行を他の画像処理装置１０ｘへ要求する（Ｓ１０７）。さらに、待機ジョブ制御部４６は、通信装置６を通じて他の画像処理装置１０ｘの情報を前記待機ジョブの要求元の情報処理装置８２へ通知する（Ｓ１０８）。
【００５９】
＜工程Ｓ１０９＞
工程Ｓ１０９において、モード制御部４５は、実行中の前記ジョブが終了するまで待機する。そして、モード制御部４５は、実行中の前記ジョブの終了を待って、処理を工程Ｓ１１０へ移行させる。
【００６０】
＜工程Ｓ１１０＞
工程Ｓ１１０において、モード制御部４５は、前記動作モードを前記占有リモートモードへ移行させる。これにより、モード制御部４５は、前記占有リモート制御を開始させる。
【００６１】
即ち、モード制御部４５は、前記占有リモートモードへの移行要求を受信したときに、前記ジョブ処理装置が前記ジョブを実行中である場合に、実行中の前記ジョブの終了を待って前記動作モードを前記占有リモートモードへ移行させる（Ｓ１１０）。これにより、既に実行中の前記ジョブが、前記占有リモートモードへの移行の悪影響を受けることを防止できる。
【００６２】
また、待機ジョブ制御部４６の処理により、前記占有リモートモードへの移行が極力速やかに実行される。
【００６３】
前記占有リモート制御が終了すると、モード制御部４５は、処理を工程Ｓ１０５へ移行させる。これにより、モード制御部４５は、前記動作モードを前記占有リモートモードから前記通常モードへ移行させる（Ｓ１０５）。
【００６４】
［設定リモートモード制御］
次に、図３に示されるフローチャートを参照しつつ、前記設定リモートモード制御の手順の一例について説明する。以下の説明において、Ｓ２０１，Ｓ２０２，…は、前記設定リモートモード制御における複数の工程の識別符号を表す。
【００６５】
以下に示される工程Ｓ２０１〜工程Ｓ２０８の処理は、前記動作モードが前記設定リモートモードであるときに実行される。
【００６６】
＜工程Ｓ２０１＞
前記設定リモートモード制御において、パラメーター設定部４３が、ホスト装置８１へパラメーター設定画面を表す画面データを出力する。これにより、前記パラメーター設定画面が、ホスト装置８１の表示部に表示される。
【００６７】
前記パラメーター設定画面は、前記パラメーターの値を設定する操作として、ホスト装置８１から画像処理装置１０へのリモート操作を受け付けるための画面である。さらに、パラメーター設定部４３は、処理を工程Ｓ２０２および工程Ｓ２０３へ移行させる。
【００６８】
＜工程Ｓ２０２，Ｓ２０３＞
工程Ｓ２０２において、パラメーター設定部４３が、操作判定処理を実行し、それと並行して、モード制御部４５が、予め定められた終了条件が成立するか否かを判定する。
【００６９】
前記操作判定処理は、操作装置３ａに対する直接操作またはホスト装置８１からの通信装置６を通じた画像処理装置１０へのリモート操作が行われたか否かを判定し、さらに、行われた操作の種類を判定する処理である。
【００７０】
また、工程Ｓ２０３の前記終了条件が、以下の第１終了条件および第２終了条件を含むことが考えられる。前記第１終了条件は、前記設定リモートモードへの移行要求が期限情報を含む場合に、前記期限情報が示す期限が経過したという条件である。
【００７１】
前記第２終了条件は、予め定められた時間継続して、前記直接操作も前記リモート操作も行われなかったという条件である。
【００７２】
モード制御部４５は、前記第１終了条件および前記第２終了条件の少なくとも一方が成立した場合、前記設定リモートモード制御を終了させる。これにより、モード制御部４５が、図２の工程Ｓ１０５の処理を実行する。
【００７３】
即ち、前記設定リモートモードへの移行要求が前記期限情報を含む場合に、モード制御部４５は、前記期限情報が示す期限が経過した後に自動的に前記動作モードを前記設定リモートモードから前記通常モードへ移行させる（Ｓ１０５）。これにより、前記設定リモートモードが過度に継続することを防止できる。
【００７４】
また、パラメーター設定部４３は、前記操作判定処理の結果に応じて、次の処理の移行先を選択する。
【００７５】
本実施形態において、パラメーター設定部４３は、行われた前記リモート操作の種類がリモート設定操作である場合、処理を工程Ｓ２０４へ移行させる。前記リモート設定操作は、前記リモート操作による前記パラメーターの値の設定の要求の一例である。
【００７６】
また、パラメーター設定部４３は、行われた前記リモート操作の種類がリモート確定操作である場合、処理を工程Ｓ２０５へ移行させる。前記リモート確定操作は、前記リモート操作による前記パラメーターの値の確定の要求の一例である。
【００７７】
また、パラメーター設定部４３は、行われた前記直接操作の種類が直接参照操作である場合、処理を工程Ｓ２０６へ移行させる。前記直接参照操作は、前記直接操作による出力要求の一例である。
【００７８】
また、パラメーター設定部４３は、行われた前記直接操作の種類が直接設定操作である場合、処理を工程Ｓ２０７へ移行させる。
【００７９】
また、パラメーター設定部４３は、行われた前記直接操作の種類が直接設定操作である場合、処理を工程Ｓ２０７へ移行させる。
【００８０】
また、パラメーター設定部４３は、行われた前記直接操作の種類が直接ジョブ操作である場合、処理を工程Ｓ２０８へ移行させる。前記直接ジョブ操作は、前記直接接作によるジョブ実行要求の一例である。前記直接ジョブ操作により、特定の種類の前記ジョブが選択される。以下、前記直接ジョブ操作により選択される種類の前記ジョブのことを選択ジョブと称する。
【００８１】
また、パラメーター設定部４３は、行われた前記リモート操作の種類がリモート終了操作である場合、前記設定リモートモード制御を終了させる。
【００８２】
＜工程Ｓ２０４＞
工程Ｓ２０４において、パラメーター設定部４３は、前記リモート設定操作に従って、前記パラメーターの新たな値を仮設定する。この場合、パラメーター設定部４３は、前記新たな値の設定が確定するまで、前記パラメーターの元の値を記憶している。前記リモート設定操作は、前記リモート操作による前記パラメーターの設定要求の一例である。
【００８３】
即ち、パラメーター設定部４３は、前記動作モードが前記設定リモートモードであるときに、前記リモート操作による設定要求に従って、前記ジョブに関する前記パラメーターについて元の値を記憶しつつ新たな値を設定する（Ｓ２０４）。
【００８４】
そして、パラメーター設定部４３は、処理を工程Ｓ２０１へ移行させる。これにより、工程Ｓ２０１において、仮設定された前記新たな値を表示する前記パラメーター設定画面が、ホスト装置８１へ出力される。
【００８５】
＜工程Ｓ２０５＞
工程Ｓ２０５において、パラメーター設定部４３は、前記リモート確定操作に従って、前記パラメーターの値を、工程Ｓ２０４で仮設定された前記パラメーターの新たな値に更新する。これにより、前記新たな値の設定が確定する。
【００８６】
そして、パラメーター設定部４３は、処理を工程Ｓ２０１へ移行させる。これにより、工程Ｓ２０１において、更新された前記新たな値を表示する前記パラメーター設定画面が、ホスト装置８１へ出力される。
【００８７】
＜工程Ｓ２０６＞
工程Ｓ２０６において、パラメーター出力部４４が、前記直接参照操作に従って、パラメーター出力処理を実行する。状況に応じて、第１パラメーター出力処理または第２パラメーター出力処理のいずれかが、前記パラメーター出力処理として実行される。
【００８８】
前記リモート設定操作に基づく前記パラメーターの前記新たな値が確定するまでの間であれば、パラメーター出力部４４は、前記第１パラメーター出力処理を実行する（Ｓ２０６）。前記第１パラメーター出力処理は、前記直接参照操作に応じて前記パラメーターの前記元の値を表示装置３ｂへ出力する処理である。
【００８９】
従って、前記直接操作に対応する処理に影響を与えることなく、前記リモート設定操作によって前記パラメーターの値を試験的に仮設定することができる。
【００９０】
一方、前記リモート設定操作に基づく前記パラメーターの前記新たな値が確定した後であれば、パラメーター出力部４４は、前記第２パラメーター出力処理を実行する（Ｓ２０６）。前記第２パラメーター出力処理は、前記直接参照操作に応じて前記パラメーターの確定した前記新たな値を表示装置３ｂへ出力する処理である。
【００９１】
さらに、パラメーター出力部４４は、処理を工程Ｓ２０１へ移行させる。
【００９２】
＜工程Ｓ２０７＞
工程Ｓ２０７において、パラメーター設定部４３が、前記パラメーターの設定はできない旨を表すエラー通知を表示装置３ｂへ出力する。その後、パラメーター設定部４３は、処理を工程Ｓ２０１へ移行させる。
【００９３】
即ち、前記動作モードが前記設定リモートモードであるときに、パラメーター設定部４３は、前記直接操作に基づく前記パラメーターの設定を禁止する。
【００９４】
＜工程Ｓ２０８＞
工程Ｓ２０８において、ジョブ制御部４２が、前記直接作によるジョブ実行要求に応じて、前記選択ジョブを前記ジョブ処理装置に実行させる。
【００９５】
工程Ｓ２０８において、前記リモート設定操作に基づく前記パラメーターの前記新たな値が確定するまでの間であれば、ジョブ制御部４２は、前記パラメーターの前記元の値に従った前記選択ジョブを前記ジョブ処理装置に実行させる。
【００９６】
従って、前記直接操作に対応する前記選択ジョブに影響を与えることなく、前記リモート設定操作によって前記パラメーターの値を試験的に仮設定することができる。
【００９７】
一方、前記リモート設定操作に基づく前記パラメーターの前記新たな値が確定した後であれば、ジョブ制御部４２は、前記パラメーターの確定した前記新たな値に従った前記選択ジョブを前記ジョブ処理装置に実行させる。
【００９８】
さらに、ジョブ制御部４２は、処理を工程Ｓ２０１へ移行させる。
【００９９】
［占有リモートモード制御］
次に、図４に示されるフローチャートを参照しつつ、前記占有リモートモード制御の手順の一例について説明する。以下の説明において、Ｓ３０１，Ｓ３０２，…は、前記占有リモートモード制御における複数の工程の識別符号を表す。
【０１００】
以下に示される工程Ｓ３０１〜工程Ｓ３０７の処理は、前記動作モードが前記占有リモートモードであるときに実行される。
【０１０１】
＜工程Ｓ３０１＞
前記占有リモートモード制御において、ジョブ制御部４２が、ホスト装置８１へジョブ設定画面を表す画面データを出力する。これにより、前記ジョブ設定画面が、ホスト装置８１の表示部に表示される。
【０１０２】
前記ジョブ設定画面は、画像処理装置１０に要求する前記ジョブの種類を設定し、さらに、前記ジョブの開始を要求する操作として、前記リモート操作を受け付けるための画面である。さらに、ジョブ制御部４２は、処理を工程Ｓ３０２および工程Ｓ３０３へ移行させる。
【０１０３】
＜工程Ｓ３０２，Ｓ３０３＞
工程Ｓ３０２において、ジョブ制御部４２が、前記操作判定処理を実行し、それと並行して、モード制御部４５が、予め定められた終了条件が成立するか否かを判定する。
【０１０４】
また、工程Ｓ３０３の前記終了条件が、前記第２終了条件であることが考えられる。ジョブ制御部４２は、前記操作判定処理の結果に応じて、次の処理の移行先を選択する。
【０１０５】
本実施形態において、ジョブ制御部４２は、行われた前記リモート操作の種類がリモートジョブ操作である場合、処理を工程Ｓ３０４へ移行させる。前記リモートジョブ操作は、前記リモート操作による前記ジョブの実行の要求の一例である。
【０１０６】
また、ジョブ制御部４２は、行われた前記直接操作の種類が前記直接参照操作である場合、処理を工程Ｓ３０５へ移行させる。
【０１０７】
また、ジョブ制御部４２は、行われた前記直接操作の種類が前記直接ジョブ操作である場合、処理を工程Ｓ３０６へ移行させる。
【０１０８】
また、ジョブ制御部４２は、行われた前記リモート操作の種類が前記リモート終了操作である場合、前記占有リモートモード制御を終了させる。
【０１０９】
＜工程Ｓ３０４＞
工程Ｓ３０４において、ジョブ制御部４２は、前記リモートジョブ操作に従って、前記ジョブ処理装置に指定ジョブを実行させる。さらに、ジョブ制御部４２は、処理を工程Ｓ３０１へ移行させる。
【０１１０】
前記占有リモートモードへの移行要求は、特定の種類の前記ジョブである前記指定ジョブの情報を含む。工程Ｓ３０４において、ジョブ制御部４２は、前記占有リモートモードへの移行要求に含まれる情報により指定される前記指定ジョブを前記ジョブ処理装置に実行させる。
【０１１１】
図３の工程Ｓ２０４の処理により、前記パラメーターに前記新たな値が仮設定されている場合、工程Ｓ３０４において、ジョブ制御部４２は、仮設定中の前記パラメーターの前記新たな値に従った前記指定ジョブを前記ジョブ処理装置に実行させる。
【０１１２】
また、図３の工程Ｓ２０５の処理により、前記パラメーターが前記新たな値に更新されている場合、工程Ｓ３０４において、ジョブ制御部４２は、更新後の前記パラメーターの前記新たな値に従った前記指定ジョブを前記ジョブ処理装置に実行させる。
【０１１３】
一方、前記パラメーターの前記新たな値が、仮設定も確定もなされていない場合は、工程Ｓ３０４において、ジョブ制御部４２は、前記パラメーターの前記元の値に従った前記指定ジョブを前記ジョブ処理装置に実行させる。
【０１１４】
＜工程Ｓ３０５＞
工程Ｓ３０５において、パラメーター出力部４４が、前記直接参照操作に従って、前記パラメーター出力処理を実行する。
【０１１５】
パラメーター出力部４４は、図３の工程Ｓ２０６と同様に、状況に応じて、前記第１パラメーター出力処理または前記第２パラメーター出力処理のいずれかを、前記パラメーター出力処理として実行する。さらに、パラメーター出力部４４は、処理を工程Ｓ３０１へ移行させる。
【０１１６】
＜工程Ｓ３０６＞
工程Ｓ３０６において、ジョブ制御部４２は、前記選択ジョブが前記指定ジョブと並行して実行できない干渉ジョブであるか、或いは、前記指定ジョブと並行して実行可能な非干渉ジョブであるかを判定する。
【０１１７】
例えば、前記指定ジョブが前記画像送信ジョブである場合、前記印刷ジョブは前記非干渉ジョブであるが、前記画像送信ジョブおよび前記複写ジョブは前記干渉ジョブである。同様に、前記指定ジョブが前記印刷ジョブである場合、前記画像送信ジョブは前記非干渉ジョブであるが、前記印刷ジョブおよび前記複写ジョブは前記干渉ジョブである。なお、前記指定ジョブが前記複写ジョブである場合、前記選択ジョブは、その種類によらず前記干渉ジョブである。
【０１１８】
ジョブ制御部４２は、前記選択ジョブが前記非干渉ジョブであると判定された場合、処理を工程Ｓ３０７へ移行させ、そうでない場合、処理を工程Ｓ３０８へ移行させる。
【０１１９】
＜工程Ｓ３０７＞
工程Ｓ３０７において、ジョブ制御部４２は、前記選択ジョブを前記ジョブ処理装置に実行させる。その後、ジョブ制御部４２は、処理を工程Ｓ３０１へ移行させる。
【０１２０】
＜工程Ｓ３０８＞
工程Ｓ３０８において、ジョブ制御部４２は、前記直接設定操作に対応する前記パラメーターの設定、または、前記直接ジョブ操作に対応する前記選択ジョブの実行はできない旨を表すエラー通知を表示装置３ｂへ出力する。その後、ジョブ制御部４２は、処理を工程Ｓ３０１へ移行させる。
【０１２１】
即ち、前記動作モードが前記占有リモートモードであるときに、ジョブ制御部４２は、前記リモート操作による前記ジョブ実行要求に応じて、前記リモート操作に基づく前記パラメーターの前記新たな値に従った前記指定ジョブを前記ジョブ処理装置に実行させる（Ｓ３０４）。
【０１２２】
さらに、ジョブ制御部４２は、前記指定ジョブと並行して実行できないその他の前記選択ジョブの実行を禁止する（Ｓ３０８）。但し、ジョブ制御部４２は、前記指定ジョブと並行して実行可能なその他の前記選択ジョブの実行は許容する（Ｓ３０７）。
【０１２３】
以上に示されるように、画像処理装置１０は、前記リモート操作の対象となっているときに、支障が生じない範囲で極力前記ジョブおよび前記パラメーターの値の出力などの処理を受け付け可能である。
【０１２４】
[応用例]
図３に示される前記設定リモートモード制御において、モード制御部４５が、ホスト装置８１から通信装置６を通じて前記占有リモートモードへの移行要求を受信した場合に、処理を図２の工程Ｓ１０６へ移行させることも考えられる。
【０１２５】
本応用例によれば、モード制御部４５は、前記動作モードが前記設定リモートモードであるときに前記占有リモートモードへの移行要求を受信した場合に、前記動作モードを前記設定リモートモードから前記占有リモートモードへ移行させる（Ｓ１１０）。
【符号の説明】
【０１２６】
１        ：画像読取装置
１ａ      ：光源
１ｂ      ：走査機構
１ｃ      ：イメージセンサー
２        ：画像形成装置
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：ユーザーインターフェイスユニット
３ａ      ：操作装置
３ｂ      ：表示装置
４        ：ＣＰＵ（プロセッサー）
４ａ      ：ＲＡＭ
５        ：二次記憶装置
６        ：通信装置
１０      ：画像処理装置
１０ｘ    ：他の画像処理装置
４１      ：認証部
４２      ：ジョブ制御部
４３      ：パラメーター設定部
４４      ：パラメーター出力部
４５      ：モード制御部
４６      ：待機ジョブ制御部
８０      ：ネットワーク
８１      ：ホスト装置
８２      ：情報処理装置
９１      ：原稿
９２      ：シート
【図１】
2019057892.tif 000003
【図２】
2019057892.tif 000004
【図３】
2019057892.tif 000005
【図４】
2019057892.tif 000006